(57)【要約】【課題】この発明は、炭とおから、又は、炭とおからに骨骨粉、生ゴミ、籾殻、米糠などを配合し、攪拌し練り合せ、ペレット形状に成形して乾燥させた固形のペレット形状のの土壌改良剤とその製造方法と、又、飼料や燃料としても利用できることに関するものである。【解決手段】炭とおから、又は、炭とおからに骨骨粉、生ゴミ、籾殻、米糠など、数種類の混合物を配合し、攪拌し練り合せ、ペレット形状に押し出して成形し、乾燥させて固形のペレットを作ることを特徴する。【選択図】  図１
2005002305.tif 000002
【特許請求の範囲】
【請求項１】
炭、おから、の二種類を混合、攪拌し練り合せ、その混合物をペレット形状に成形し、乾燥させた固形のペレット（１）を作ることを特徴とするペレット形状の土壌改良剤とその製造方法。
【請求項２】
炭は籾殻炭、草花や実等の植物炭、木片や木枝や葉炭、おが屑炭、竹炭、魚貝類炭、海草類炭等である、請求項１のペレット形状の土壌改良剤とその製造方法。
【請求項３】
炭は粉炭、又は、粒状炭である、請求項１のペレット形状の土壌改良剤とその製造方法。
【請求項４】
ペレット（１）の大きさは、直径（２）が約５ｍｍ、長さ（３）が約１５ｍｍである、請求項１のペレット形状の土壌改良剤とその製造方法。
【請求項５】
炭、おから、骨骨粉（リンの成分）の三種類を混合、攪拌し練り合せ、その混合物をペレット形状に成形し、乾燥させた固形のペレット（１）を作ることを特徴とする、請求項１のペレット形状の土壌改良剤とその製造方法。
【請求項６】
炭、おから、生ゴミの三種類を混合、攪拌し練り合せ、その混合物をペレット形状に成形し、乾燥させたペレット（１）を作ることを特徴とする、請求項１のペレット形状の土壌改良剤とその製造方法。
【請求項７】
炭、おから、籾殻、米糠、の四種を混合、攪拌し練り合わせ、その混合物をペレット形状に成形し、乾燥させた固形のペレット（１）を作ることを特徴とする、請求項１の土壌改良剤とその製造方法。
【請求項８】
ペレット（１）の大きさが、直径（２）が２５ｍｍ、長さ（３）が約３０ｍｍである、請求項７の土壌改良剤とその製造方法。
【発明の詳細な説明】
【０００１】
【発明の属する技術分野】
この発明は、炭と水分を約８０％含んだ豆腐の搾り粕である、おから、等の数数種類を混合、攪拌し練り合せ、その混合物をペレット形状に成形し乾燥させたペレット形状の土壌改良剤とその製造方法に関するものである。
【０００２】
【従来の技術】
従来、豆腐の搾り粕である、「おから」は、少しは食品として利用されているが、大半は、生ゴミとして処分されている。
【０００３】
又、植物栽培用の培用基材に薬用植物から抽出及び／又は搾り出した成分を配合してなる植物栽培用培用土がある。（特開平７−２５５２６９号公報）
【０００４】
【特許文献１】
特開平７−２５５２６９号公報
【０００５】
【発明が解決しょうとする課題】
これには次のような欠点があった。
（イ）、従来の、おから、の処理の仕方では、おからは、豆腐の搾り粕といっても、まだいろんな栄養価の高い成分を多く含んでおり、生ゴミとして処分するのは資源を無駄にしている。又、おからは、水分を約８０％も含んでおり、生ゴミとして処分されると、燃えにくい欠点があり、さらに、処理された灰は、利用価値は少なく、廃棄物として処分されている。したがって、環境汚染につながり、公害の発生原因になる欠点があった。
（ロ）、特開平７−２５５２６９号は、おから等をそのまま処理するものではなく、おから等の食品粕は微生物等により発酵させて、その成分を抽出して培養基材に配合して植物栽培用培養土を作り、それに含む成分を植物に吸収させて植物の成長を促進して、収穫量の増大、及び品質の優れた農産物を得られることを目的としており、土壌自体を改良するものではない。又、植物栽培用培養土を作るためには、日数や時間がかかると共に、どうしてコスト高になる欠点があった。
本発明は、以上の欠点を解決するためになされたものである。
【０００６】
【課題を解決するための手段】
第１実施例を図面の工程図順に説明すると、
第１工程
籾殻や草等の炭、粉末、粒状等の炭が３に対し、水分を約８０％含んだ、おから、を１の割合で二種類を投入する。
第２工程
投入された炭とおからを混合、攪拌し練り合せる。その際、炭とおからが攪拌されると自然に発熱作用が起り、３０度から４０度の発熱が発生することにより、その混合物が乾燥した時に固まりやすくなる。
第３工程
押出し機により、図２に示すように、ペレット形状に成形した固形としたペレツト（１）を連続してつくる。大きつは、直径（２）が約５ｍｍ×長さ（３）が約１５ｍｍとする。
第４工程
固形化されたペレット（１）に、温風、又は、熱風を当て、水分が約２０％に乾燥させる。
第５工程
乾燥されたペレット（１）は、放置して空冷する。
本発明の第１実施例は、以上のようにしてペレット形状の土壌改良剤とその製造方法である。
【０００７】
【発明の実施の形態】
ペレット（１）の固形化は、おからに含んでいるでんぷん質の成分が炭とおからを固める性質によりペレット形状に固まる作用がある。
【０００８】
第２実施例
炭が３、おからが１、骨骨粉（リン）が１の割合で三種類を混合、攪拌し練り合せてペレット（１）を作ると、栄養価の高い動物の飼料を作ることができる。
【０００９】
第３実施例
炭、おから、生ゴミの三種類を混合、攪拌し練り合せてペレット形状の土壌改良剤を作ることができる。生ゴミは、混合する前に摺ってミンチ加工して脱水してから混合するのが望ましい。
【００１０】
第４実施例
炭、おから、籾殻、米糠、の四種類を混合、攪拌し練り合わせ、その混合物を直径（２）が約２５ｍｍ×長さ（３）が約３０ｍｍのペレット形状に形成したペレット（１）をつくり、乾燥した土壌改良剤である。このペレット（１）は燃料や炭の代用としても利用できる。
【００１１】
炭は、攪拌した時に、粉末状になる籾殻炭、草花や実等の植物炭が望ましい。その他、木片や木枝や葉炭、おが屑炭、竹炭、魚貝類炭、海草類炭、又、これらに準ずる炭は、粉砕して粉末、又は、細かい粒状であるのが適当である。
【００１２】
直径（１）が５ｍｍ×長さ（２）が１５ｍｍのペレット（１）は、土壌を改善しようとする土地や田畑などには散布機により散布できる。
【００１３】
酸性化した田畑や果樹園、ゴルフ場、森林等の土地に散布すると、炭の成分が酸性化した土を改善する作用がある。又、防カビ、防臭、防害虫効果がある。
【００１４】
又、おから、骨骨粉、生ゴミ、籾殻、米糠、等の混合物に含むいろんな成分は植物の生長を助ける。ペレット（１）は、固形化し乾燥しているが、土壌に散布すると、土の中に含む水分等により除々にペレット（１）の成分が出て土壌の改善と植物の生長に必要な養分となる。ペレット（１）は、そのまま固形となっているのではなく、数ヵ月後には土に帰り土壌改良剤として、特に効果がある。その他、除草剤としても利用できる。
【００１５】
【００１５】
混合物の割合は、炭が３に対し、他の混合物は各々１が望ましいが、必ずしもその割合でなくてもよい。
【００１６】
【発明の効果】
（イ）、炭とおからを混合し、ペレット形状に成形乾燥することにより、良質の土壌改良剤を作ることができる。
（ロ）、おからに含んでいる、でんぷん質の成分が混合物を固める効果がある。
（ハ）、簡単な装置で処理加工ができるので、コストが低減できる。
（ニ）、
【０００８】のペレット（１）は、散布機で散布できるので、散布作業が楽であり、又、作業時間が短縮できる。
（ホ）、炭、おから、骨骨粉の三種類を混合したペレットは、栄養価の高い動物の飼料となる。
（ヘ）、
【０００９】のペレットは、生ゴミを混合することにより、養分を多く含むことにより植物の成長をさらに高める効果がある。
（ト）、
【００１０】のペレットは、土壌改良剤として効果があるが、その他に炭の代用や燃料として利用できる効果がある。又、籾殻は水はけをよくする効果がある。
（チ）又、本発明は、除草剤としても利用できる。又、防カビ、防臭、防害虫効果があり、土壌改良剤として特に効果がある。
【図面の簡単な説明】
【図１】本発明の製造方法の工程図。
【図２】本発明の製品に成形されたペレットを示した斜面図。
【符号の説明】
１  ペレット
２  直径
３  長さ
【図１】
2005002305.tif 000003
【図２】
2005002305.tif 000004